(57)【要約】【課題】第２フレームと排紙トレイとを有する画像読取装置に関し、第２フレームが閉位置に位置するときに、排紙トレイの回動軸が第１軸受及び第２軸受から外れる可能性が抑制された画像読取装置の提供を目的とする。【解決手段】第１フレームと、接続位置において第１フレームに開閉可能に接続される第２フレームであって、閉位置と開位置との間で回動可能であり、前記第２フレームの所定の位置において、第２フレームが開位置から閉位置に向かう方向の力を受ける第２フレームと、第１フレームに設けられ、一方向に開放された開口を有する軸受と、軸受に支持された回動軸を中心として回動可能な排紙トレイと、を有し、軸受は、所定の位置から接続位置までの搬送方向における距離より、第２軸受から接続位置までの前記搬送方向における距離が短くなるように、配置されることを特徴とする画像読取装置。【選択図】図４
2017178505.tif 000002
【特許請求の範囲】
【請求項１】
搬送方向に媒体を搬送する搬送路を形成する第１搬送面を有する第１フレームと、
前記第１フレームに設けられ、主走査方向に媒体の画像を読み取る読取デバイスと、
第１接続位置及び前記第１接続位置から前記主走査方向に離れた第２接続位置において、前記第１フレームに開閉可能に接続され、第２搬送面を有する第２フレームであって、前記第２搬送面が前記第１搬送面から所定距離離間して対向する閉位置と、前記第２搬送面が前記第１搬送面に対して閉位置よりも離間して前記第１搬送面を開放する開位置との間で回動可能であり、前記第２フレームの所定の位置において、前記第２フレームが前記開位置から前記閉位置に向かう方向の力を受ける前記第２フレームと、
前記第１フレームに設けられ、互いに前記主走査方向に離れて設けられ、一方向に開放された開口を有する、第１軸受及び第２軸受と、
前記第１軸受及び前記第２軸受に支持される回動軸と、媒体を受けるトレイ面とを有し、前記トレイ面が上方を向き前記媒体を受けることが可能な位置である使用位置と、前記使用位置とは異なる位置である非使用位置との間で前記回動軸を中心として回動可能な排紙トレイと、
前記第２フレームに設けられる閉塞部であって、前記第２フレームが前記閉位置に位置するときに前記第１軸受及び前記第２軸受の前記開口を一方向から閉塞し、前記第２フレームが前記開位置に位置するときに前記第１軸受及び前記第２軸受の前記開口を開放する閉塞部と、を有し、
前記第１軸受及び前記第２軸受は、前記所定の位置から前記第１接続位置及び前記第２接続位置までの搬送方向における距離より、前記第１軸受及び前記第２軸受から前記第１接続位置及び前記第２接続位置までの前記搬送方向における距離が短くなるように、配置される
ことを特徴とする画像読取装置。
【請求項２】
前記第２フレームは前記閉位置に位置するときに、前記第２搬送面は前記第１搬送面の上方において前記第１搬送面と対向し、
前記第１軸受及び前記第２軸受は、前記第１接続位置及び前記第２接続位置より下方に配置され、
前記第２フレームは、前記閉位置において前記第１接続位置及び前記第２接続位置から下方に延びる延長部をさらに有し、
前記閉塞部は、前記延長部に設けられることを特徴とする請求項１記載の画像読取装置。
【請求項３】
前記第１軸受及び前記第２軸受は、前記第１接続位置及び前記第２接続位置よりも前記主走査方向の内側に設けられることを特徴とする請求項１又は２記載の画像読取装置。
【請求項４】
前記第１軸受は、前記読取デバイスの前記主走査方向の一端よりも、前記読取デバイスの前記主走査方向の他端から、前記主走査方向に離隔した位置に配置され、
前記第２軸受は、前記他端よりも、前記一端から、前記主走査方向に離隔した位置に配置されることを特徴とする請求項１から３のいずれか記載の画像読取装置。
【請求項５】
前記排紙トレイは、前記非使用位置に位置するとき、前記トレイ面が下方を向き前記トレイ面が前記第２フレームと対向する位置に位置することを特徴とする請求項１から４のいずれか記載の画像読取装置。
【請求項６】
前記第１接続位置及び前記第２接続位置から前記第２フレームの前端までの距離が、前記第１接続位置及び前記第２接続位置から前記第１軸受及び前記第２軸受までの距離より小さいことを特徴とする請求項１から５のいずれか記載の画像読取装置。
【請求項７】
前記第２フレームが前記開位置から前記閉位置に向かう方向の力は、前記第２フレームの自重であり、
前記第２フレームの所定の位置は、前記第２フレームの重心位置である
ことを特徴とする請求項１〜６のいずれか記載の画像読取装置。
【請求項８】
前記第２フレームと前記第１フレームとを前記閉位置に固定するロック機構をさらに有し、
前記ロック機構は、前記第２フレームに、前記第２フレームが開位置から閉位置に向かう方向の力を加える
ことを特徴とする請求項１〜７のいずれか記載の画像読取装置。
【請求項９】
媒体を搬送する搬送路を形成する第１搬送面を有する第１フレームと、
前記第１フレームに設けられ、主走査方向に媒体の画像を読み取る読取デバイスと、
前記主走査方向に延びる搬送ローラ軸を中心に回転することで搬送方向に媒体を搬送可能に前記第１フレームに取り付けられ、前記読取デバイスよりも搬送方向の下流に位置する搬送ローラと、
前記搬送ローラよりも搬送方向の下流に配置された第１接続位置及び前記第１接続位置から前記主走査方向に離れた第２接続位置において、前記第１フレームに開閉可能に接続され、第２搬送面を有する第２フレームであって、前記第２搬送面が前記第１搬送面から所定距離離間して対向する閉位置と、前記第２搬送面が前記第１搬送面に対して閉位置よりも離間して前記第１搬送面を開放する開位置との間で回動可能な前記第２フレームと、
前記第１フレームに設けられ、互いに前記主走査方向に離れて設けられ、一方向に開放された開口を有する、第１軸受及び第２軸受と、
前記第１軸受及び前記第２軸受に支持される回動軸と、前記搬送ローラによって搬送された媒体を受けるトレイ面とを有し、前記トレイ面が上方を向き前記媒体を受けることが可能な位置である使用位置と、前記使用位置とは異なる位置である非使用位置との間で前記回動軸を中心として回動可能な排紙トレイと、
前記第２フレームに設けられる閉塞部であって、前記第２フレームが前記閉位置に位置するときに前記第１軸受及び前記第２軸受の前記開口を一方向から閉塞し、前記第２フレームが前記開位置に位置するときに前記第１軸受及び前記第２軸受の前記開口を開放する閉塞部と、を有し、
前記第１軸受及び前記第２軸受は、前記搬送ローラ軸から前記第１接続位置及び前記第２接続位置までの搬送方向における距離より、前記第１軸受及び前記第２軸受から前記第１接続位置及び前記第２接続位置までの前記搬送方向における距離が短くなるように、配置される
ことを特徴とする画像読取装置。
【発明の詳細な説明】
【技術分野】
【０００１】
本発明は、媒体を搬送する画像読取装置に関する。
【背景技術】
【０００２】
特許文献１の画像形成装置は、装置本体を覆う使用位置と装置本体の上部を露出させる開放位置との間で回転軸を中心に回動自在なカバー部材と、装置本体から排出されたシートが載置されるトレイ部材と、を有している。カバー部材は、自重やカバー部材と装置本体とを固定するロック機構とによって、開放位置から使用位置に向かう方向の力が加えられている。
【０００３】
トレイ部材は、下流端が上方向に揺動することで装置本体から取り外し可能に構成されている。カバー部材が使用位置にあるとき、カバー部材の前端部が、上方向に揺動しようとするトレイ部材に当接する。一方、カバー部材が開放位置にあるとき、カバー部材の前端部は、上方向に揺動しようとするトレイ部材に当接しない。
【０００４】
よって、カバー部材が使用位置にあるときに、トレイ部材はカバー部材に規制されることによって装置本体から外れない。一方、カバー部材が開放位置にあるときに、トレイ部材は、カバー部材に規制さないので装置本体から取り外し可能となっている。
【先行技術文献】
【特許文献】
【０００５】
【特許文献１】特開２０１３−１４７３３５号公報
【発明の概要】
【発明が解決しようとする課題】
【０００６】
しかしながら、特許文献１の画像形成装置では、トレイ部材の上方向への揺動の規制を、カバー部材の前端部が行っている。トレイ部材を上方向に揺動させようとすると、カバー部材の前端部に対して、カバー部材を回転させる向きの負荷が加えられる。カバー部材が回動する回動軸は、カバー部材の後端部側に配置されるため、カバー部材の前端部は、カバー部材の回動軸から大きく離れている。回動軸から前端部までの距離は、回動軸からカバー部材の重心位置までの距離や回動軸からロック機構までの距離より、大きい。カバー部材において負荷が加えられる位置が回動軸から離れる程、カバー部材は、小さな負荷で揺動することができるようになる。よって、カバー部材の前端部がトレイ部材の上方向への揺動を規制する場合、カバー部材の回動軸の近くの部分が規制する場合と比較して、トレイ部材が小さな負荷で装置本体から外れやすくなる。
【０００７】
本開示は、上記の問題点に鑑みてなされたものであり、第２フレームと排紙トレイとを有し、第２フレームが開位置に位置するときに排紙トレイが着脱可能な画像読取装置に関し、第２フレームが閉位置に位置するときに、排紙トレイの回動軸が第１軸受及び第２軸受から外れる可能性が抑制された画像読取装置の提供を目的とする。
【課題を解決するための手段】
【０００８】
前記目的を達成する為、本発明の一側面に係る画像読取装置は、搬送方向に媒体を搬送する搬送路を形成する第１の搬送面を有する第１フレームと、第１フレームに設けられ、主走査方向に媒体の画像を読み取る読取デバイスと、第１接続位置及び第１接続位置から主走査方向に離れた第２接続位置において、第１フレームに開閉可能に接続され、第２の搬送面を有する第２フレームであって、第２搬送面が第１搬送面から所定距離離間して対向する閉位置と、第２搬送面が第１搬送面に対して閉位置よりも離間して第１搬送面を開放する開位置との間で回動可能であり、であり、第２フレームの所定の位置において、第２フレームが開位置から閉位置に向かう方向の力を受ける第２フレームと、第１フレームに設けられ、互いに主走査方向に離れて設けられ、一方向に開放された開口を有する、第１軸受及び第２軸受と、第１軸受及び第２軸受に支持される回動軸と、媒体を受けるトレイ面とを有し、トレイ面が上方を向き媒体を受けることが可能な位置である使用位置と、使用位置とは異なる位置である非使用位置との間で回動軸を中心として回動可能な排紙トレイと、第２フレームに設けられる閉塞部であって、第２フレームが閉位置に位置するときに第１軸受及び第２軸受の開口を一方向から閉塞し、第２フレームが開位置に位置するときに第１軸受及び第２軸受の開口を開放する閉塞部と、を有し、第１軸受及び第２軸受は、所定の位置から第１接続位置及び第２接続位置までの搬送方向における距離より、第１軸受及び第２軸受から第１接続位置及び第２接続位置までの搬送方向における距離が短くなるように、配置されることを特徴とする。
【０００９】
これにより、第２フレームが閉位置に位置するときに、第１軸受及び第２軸受は閉塞部よって閉塞されるので、第１軸受及び第２軸受に支持された回動軸の一方向への移動は、閉塞部によって規制される。よって、回動軸を中心として、排紙トレイが回動することができる。また、第２フレームが開位置に位置するときに、第１軸受及び第２軸受は一方向に開放されるので、第１軸受及び第２軸受に挿入された回動軸の一方向への移動は、規制されない。よって、回動軸は、第１軸受及び第２軸受に対して着脱可能となる。また、第１軸受及び第２軸受は、所定の位置からから第１接続位置及び第２接続位置までの搬送方向における距離より、第１軸受及び第２軸受から第１接続位置及び第２接続位置までの搬送方向における距離が短くなるように、配置される。第２フレームは、第１軸受及び第２軸受に支持された回動軸から第２フレームを開位置へ向かわせるような負荷が加えられる。第２フレームにおいて負荷が加えられる位置が第１接続位置及び第２接続位置に近づく程、カバー部材は、揺動しにくくなる。第１軸受及び第２軸受から第１接続位置及び第２接続位置までの距離は、所定の位置から第１接続位置及び第２接続位置までの距離より小さい。よって、第２フレームが閉位置にあるときに、着脱可能な排紙トレイの回動軸が第１フレームの第１軸受及び第２軸受から外れる可能性が抑制される。したがって、第２フレームが開位置に位置するときに、排紙トレイの脱着が容易になるとともに、第２フレームが閉位置に位置するときに、排紙トレイの回動軸が第１フレームの第１軸受及び第２軸受から外れる可能性が抑制される。
【００１０】
また、本発明において、第２フレームは閉位置に位置するときに、第２搬送面は第１搬送面の上方において第１搬送面と対向し、第１軸受及び第２軸受は、第１接続位置及び第２接続位置より下方に配置され、第２フレームは、閉位置において第１接続位置及び第２接続位置から下方に延びる延長部をさらに有し、閉塞部は、延長部に設けられていてもよい。第１軸受及び第２軸受が、第１接続位置及び第２接続位置より下方に配置されることから、第１接続位置及び第２接続位置から第１軸受及び第２軸受までの上下方向の距離を大きくすることができる。上下方向の距離が大きくなることによって、第１接続位置及び第２接続位置から第１軸受及び第２軸受までの間を、排紙トレイが容易に通過することができる。よって、第２フレームが開位置に位置するときに、排紙トレイの脱着が容易になる。よって、第２フレームが開位置に位置するときに、排紙トレイの脱着を容易にするとともに、第２フレームが閉位置にあるときに、排紙トレイの回動軸が第１フレームの第１軸受及び第２軸受から外れる可能性が抑制される。
【００１１】
また、本発明において、第１軸受及び第２軸受は、第１接続位置及び第２接続位置よりも主走査方向の内側に設けられていてもよい。第１軸受及び第２軸受は、第１接続位置及び第２接続位置よりも、内側に配置されているので、第１軸受及び第２軸受に支持された排紙トレイの回動軸が、搬送方向の上流側の位置から下流側の位置へ移動するときに、排紙トレイの回動軸は、第１接続位置及び第２接続位置において第２フレームに接触することが無い。よって、第２フレームが開位置に位置するときに、排紙トレイの脱着が容易になる。よって、第２フレームが開位置に位置するときに、排紙トレイの脱着を容易にするととともに、第２フレームが閉位置にあるときに、排紙トレイの回動軸が第１フレームの第１軸受及び第２軸受から外れる可能性が抑制される。
【００１２】
また、本発明において、第１軸受は、読取デバイスの主走査方向の一端よりも、読取デバイスの主走査方向の他端から、主走査方向に離隔した位置に配置され、第２軸受は、他端よりも、一端から、主走査方向に離隔した位置に配置されていてもよい。第１軸受及び第２軸受は、主走査方向において媒体が搬送される経路の外側に配置されるので、搬送される媒体が、第１軸受及び第２軸受に接触することが無くなる。よって、本発明によると、精度の高い媒体の搬送を実現しつつ、第２フレームが開位置に位置するときに、排紙トレイの脱着を容易にし、第２フレームが閉位置にあるときに、排紙トレイの回動軸が第１フレームの第１軸受及び第２軸受から外れる可能性を抑制することができる。
【００１３】
また、本発明において、排紙トレイは、非使用位置に位置するとき、トレイ面が下方を向きトレイ面が第２フレームと対向する位置に位置してもよい。排紙トレイが、非使用位置に位置するとき、排紙トレイは、第２フレームを保護するカバーとして機能する。
【００１４】
また、本発明において、第１接続位置及び第２接続位置から第２フレームの前端までの距離が、第１接続位置及び第２接続位置から第１軸受及び第２軸受より小さくてもよい。第２フレームが開位置に位置する場合、第１軸受及び第２軸受の上方が開放される。よって、第２フレームが開位置に位置するときに、排紙トレイの脱着が容易になる。よって、第２フレームが開位置に位置するときに、排紙トレイの脱着を容易にするとともに、第２フレームが閉位置にあるときに、排紙トレイの回動軸が第１フレームの第１軸受及び第２軸受から外れる可能性が抑制される。
【００１５】
また、本発明において、第２フレームが開位置から閉位置に向かう方向の力は、第２フレームの自重であり、第２フレームの所定の位置は、第２フレームの重心位置であってもよい。第２フレームが閉位置に位置する場合、第２フレームの自重により、第２フレームの回動が抑制される。よって、第２フレームが閉位置にあるときに、着脱可能な排紙トレイの回動軸が第１フレームの第１軸受及び第２軸受から外れる可能性が抑制される。
【００１６】
また、本発明において、第２フレームと第１フレームとを閉位置に固定するロック機構をさらに有し、ロック機構は、第２フレームに、第２フレームが開位置から閉位置に向かう方向の力を加えてもよい。第２フレームが閉位置に位置する場合、第２フレームのロック機構により、第２フレームの回動が抑制される。よって、第２フレームが閉位置に位置するときに、着脱可能な排紙トレイの回動軸が第１フレームの第１軸受及び第２軸受から外れる可能性が抑制される。
【００１７】
前記目的を達成する為、本発明の一側面に係る画像読取装置は、媒体を搬送する搬送路を形成する第１の搬送面を有する第１フレームと、第１フレームに設けられ、主走査方向に媒体の画像を読み取る読取デバイスと、主走査方向に延びる搬送ローラ軸を中心に回転することで搬送方向に媒体を搬送可能に第１フレームに取り付けられ、読取デバイスよりも搬送方向の下流に位置する搬送ローラと、搬送ローラよりも搬送方向の下流に配置された第１接続位置及び第１接続位置から主走査方向に離れた第２接続位置において、第１フレームに開閉可能に接続され、第２の搬送面を有する第２フレームであって、第２搬送面が第１搬送面から所定距離離間して対向する閉位置と、第２搬送面が第１搬送面に対して閉位置よりも離間して第１搬送面を開放する開位置との間で回動可能な第２フレームと、第１フレームに設けられ、互いに主走査方向に離れて設けられ、一方向に開放された開口を有する、第１軸受及び第２軸受と、第１軸受及び第２軸受に支持される回動軸と、搬送ローラによって搬送された媒体を受けるトレイ面とを有し、トレイ面が上方を向き媒体を受けることが可能な位置である使用位置と、使用位置とは異なる位置である非使用位置との間で回動軸を中心として回動可能な排紙トレイと、第２フレームに設けられる閉塞部であって、第２フレームが閉位置に位置するときに第１軸受及び第２軸受の開口を一方向から閉塞し、第２フレームが開位置に位置するときに第１軸受及び第２軸受の開口を開放する閉塞部と、を有し、第１軸受及び第２軸受は、搬送ローラ軸から第１接続位置及び第２接続位置までの搬送方向における距離より、第１軸受及び第２軸受から第１接続位置及び第２接続位置までの搬送方向における距離が短くなるように、配置されることを特徴とする。
【００１８】
これにより、第２フレームが閉位置に位置するときに、第１軸受及び第２軸受は閉塞部よって閉塞されるので、第１軸受及び第２軸受に支持された回動軸の一方向への移動は、閉塞部によって規制される。よって、回動軸を中心として、排紙トレイが回動することができる。また、第２フレームが開位置に位置するときに、第１軸受及び第２軸受は一方向に開放されるので、第１軸受及び第２軸受に挿入された回動軸の一方向への移動は、規制されない。よって、回動軸は、第１軸受及び第２軸受に対して着脱可能となる。また、第１軸受及び第２軸受は、搬送ローラ軸から第１接続位置及び第２接続位置までの搬送方向における距離より、第１軸受及び第２軸受から第１接続位置及び第２接続位置までの搬送方向における距離が短くなるように、配置される。第２フレームは、第１軸受及び第２軸受に支持された回動軸から第２フレームを開位置へ向かわせるような負荷が加えられる。第２フレームにおいて負荷が加えられる位置が第１接続位置及び第２接続位置に近づく程、カバー部材は、揺動しにくくなる。第１軸受及び第２軸受から第１接続位置及び第２接続位置までの距離は、搬送ローラ軸から第１接続位置及び第２接続位置までの距離より小さい。よって、第２フレームが閉位置にあるときに、排紙トレイの回動軸が第１フレームの第１軸受及び第２軸受から外れる可能性が抑制される。したがって、第２フレームが開位置に位置するときに、排紙トレイの脱着が容易になるとともに、第２フレームが閉位置に位置するときに、排紙トレイの回動軸が第１フレームの第１軸受及び第２軸受から外れる可能性が抑制される。
【図面の簡単な説明】
【００１９】
【図１】本実施形態の画像読取装置の概略構成を示す斜視図であって、第２フレーム２が閉位置に位置し、排紙トレイ３が非使用位置に位置する状態を示す斜視図である。
【図２】本実施形態の画像読取装置の概略構成を示す斜視図であって、第２フレーム２が閉位置に位置し、排紙トレイ３が使用位置に位置する状態を示す斜視図である。
【図３】本実施形態の画像読取装置の概略構成を示す斜視図であって、第２フレーム２が開位置に位置し、排紙トレイが使用位置に位置する状態を示す斜視図である。
【図４】図１に示す画像読取装置の前面図である。
【図５】図１に示す画像読取装置の側面図である。
【図６】図１に示す画像読取装置を図４に示すＡ‐Ａ断面からみた断面図である。
【図７】図２に示す画像読取装置の前面図である。
【図８】図２に示す画像読取装置の側面図である。
【図９】図２に示す画像読取装置を図７に示すＢ‐Ｂ断面からみた断面図である。
【図１０】図３に示す画像読取装置の前面図である。
【図１１】図３に示す画像読取装置の側面図である。
【図１２】図３に示す画像読取装置を図１０に示すＣ‐Ｃ断面からみた断面図である。
【図１３】図３に示す画像読取装置の側面図であって、排紙トレイ３が第１フレーム１の軸受から外れた状態を示す側面図である。
【図１４】図３に示す画像読取装置を図１０に示すＣ‐Ｃ断面からみた断面図であって、排紙トレイ３が第１フレーム１の軸受から外れた状態を示す断面図である。
【図１５】図３に示す画像読取装置の側面図であって、排紙トレイ３が第１フレーム１から取り外された状態を示す側面図である。
【図１６】図３に示す画像読取装置を図１０に示すＣ‐Ｃ断面からみた断面図であって、排紙トレイ３が第１フレーム１から取り外された状態を示す断面図である。
【図１７】図３に示す画像読取装置を上方からみた上面図である。
【図１８】変更形態を示す画像読取装置の側面図である。
【発明を実施するための形態】
【００２０】
（画像読取装置の全体構成）
以下、本発明の一実施形態である画像読取装置を具体化した実施例を図１〜図１７に基づいて説明する。
【００２１】
図１において、画像読取装置１００の排出口側を装置の前側と規定し、排出口に対向した場合に左手に来る側を左側と規定して、前後、左右及び上下の各方向を表示する。
【００２２】
図１〜３は、画像読取装置１００の外観を示す斜視図である。図１は、第２フレーム２が閉位置に位置し、排紙トレイ３が非使用位置に位置する状態を示す。図２は、第２フレーム２が閉位置に位置し、排紙トレイ３が使用位置に位置する状態を示す。図４〜６は、図１の状態に対応する図面である。図４は、画像読取装置１００を前側から見た前面図である。図５は、画像読取装置１００を右側から見た側面図である。図６は、画像読取装置１００を図４に示すＡ‐Ａ断面からみた断面図である。図７〜９は、図２の状態に対応する図面である。図７は、画像読取装置１００を前側から見た前面図である。図８は、画像読取装置１００を右側から見た側面図である。図９は、画像読取装置１００を図７に示すＢ‐Ｂ断面からみた断面図である。図１０〜１２は、図１の状態に対応する図面である。図１０は、画像読取装置１００を前側から見た前面図である。図１１は、画像読取装置１００を右側から見た側面図である。図１２は、画像読取装置１００を図１０に示すＣ‐Ｃ断面からみた断面図である。図１３は、図３に示す画像読取装置１００の側面図である。図１４は、図３に示す画像読取装置１００を図１０に示すＣ‐Ｃ断面からみた断面図である。図１３及び図１４は、排紙トレイ３が第１フレーム１の軸受から外れた状態を示す。図１５は、図３に示す画像読取装置１００の側面図である。図１６は、図３に示す画像読取装置１００を図１０に示すＣ‐Ｃ断面からみた断面図である。図１５及び図１６は、排紙トレイ３が第１フレーム１ら取り外された状態を示す。図１７は、画像読取装置１００を上方からみた上面図である。
【００２３】
図１〜図３に示すように、画像読取装置１００は、第１フレーム１、第２フレーム２、及び、排紙トレイ３を備える。第２フレーム２は、第１フレーム１に回動自在に支持される。第２フレーム２は、第１フレーム１の上方に第１フレーム１と対向して配置される閉位置と、閉位置よりも第１フレーム１から離隔して配置される開位置とをとることができる。排紙トレイ３は、第１フレーム１に回動自在、且つ、取り外し可能に支持される。第１フレーム１と第２フレーム２とに挟まれた空間は、読取媒体が搬送される搬送経路となる。搬送経路の後端は、外部に連通している。搬送経路の前端は、外部に連通している。搬送経路の後端は、読取媒体が挿入される挿入口８となる。搬送経路の前端は、読取媒体が排出される排出口９となる。画像読取装置１００は、読取媒体を、挿入口８から第１フレーム１と第２フレーム２とに挟まれた搬送経路に挿入され、搬送経路に挿入された読取媒体を排出口９から排出する。
【００２４】
（第１フレーム）
図１、図４、図５、図６、図１７に示すように、第１フレーム１は、略箱形状に形成される。第１フレーム１は、上面を向く搬送面１１を有する。搬送面１１は、前に向かって下り傾斜する平面である。第１フレーム１は、前方に、搬送面１１から上方に突出して形成される側面部１２を有する。側面部１２は、第１フレームの右端に形成された右側面部１２Ａと第１フレームの左端に形成された左側面部１２Ｂとから構成される。第１フレーム１は、側面部１２よりも前方に突出して形成される前突出部１４を有する。第１フレーム１は、内部に、搬送ローラ４１、第１読取デバイス５１、及び、搬送ローラ６１を有する。
【００２５】
（搬送ローラ）
図３、図５、図６に示すように、本実施形態において、搬送ローラ４１は、第１フレーム１の内部において、第１フレーム１の左右方向の略中央部に並んで設けられる。搬送ローラ４１は、左右方向の軸を中心に回動可能に、第１フレーム１に支持される。搬送ローラ４１は、不図示のモータの駆動力が伝達されることにより、回転駆動される。搬送ローラ４１の上側の一部が、搬送面１１より上側に突出している。搬送ローラ４１は、回転することにより、挿入口８から挿入された読取媒体を、排出口９に向けて搬送する。
【００２６】
（第１読取デバイス５１）
図５、図６、図１７に示すように、第１読取デバイス５１は、第１フレーム１の内部において、搬送ローラ４１より前方に設けられる密着イメージセンサＣＩＳ（Contact  Image  Sensor）である。第１読取デバイス５１は、左右方向に延び、左右方向において搬送面１１と同じ長さとなるように、形成される。第１読取デバイス５１は、発光部と受光部とを有し、反射光を読み取る。第１読取デバイス５１は、搬送面１１に沿って挿入口８から排出口へ向かう方向である搬送方向において、搬送ローラ３よりも下流側に配置される。第１読取デバイス５１は、第１読取デバイス５１に対向する位置に搬送された読取媒体の下面の画像を読み取る。
【００２７】
（搬送ローラ６１）
図１、図５、図６に示すように、搬送ローラ６１は、第１フレーム１の内部において、第１フレーム１の前方に設けられる。搬送ローラ６１は、左右方向の軸である搬送ローラ軸６１１を中心に回動可能に、第１フレーム１に支持される。搬送ローラ６１は、不図示のモータの駆動力が伝達されることにより、搬送ローラ軸６１１を中心に回転駆動される。搬送ローラ６１の上側の一部が、搬送面１１より上側に突出している。搬送ローラ６１は、搬送方向において、第１読取デバイスよりも下流側に配置される。搬送ローラ６１は、回転することにより、搬送ローラ６１に搬送された読取媒体を、排出口９に向けて搬送する。
【００２８】
（右側面部１２Ａ）
図１、図４、図５、図６に示すように、右側面部１２Ａは、第１フレーム１の前方の右端から上方に向けて突出して形成される。右側面部１２Ａは、外側部分１２１Ａと内側部分１２２Ａとを有する。外側部分１２１Ａは、第１フレーム１の右端に配置されている。外側部分１２１Ａの上端は、平面である。外側部分１２１Ａの上端は、第１フレーム１が設置面に設置されたときに、設置面と平行な平面になる。内側部分１２２Ａは、外側部分１２１Ａの左側に外側部分１２１Ａに隣接して、配置されている。内側部分１２２Ａの上端は、平面である。内側部分１２２Ａの上端は、第１フレーム１が設置面に設置されたときに、設置面と平行な平面になる。内側部分１２２Ａの上端は、上下方向において、外側部分１２１Ａの上端よりも下に位置する。図１７に示すように、内側部分１２２Ａは、左右方向において、第１読取デバイス５１の右端よりも右側の位置に、形成されている。
【００２９】
図１、図４、図５、図６、図１７に示すように、外側部分１２１Ａは、左右方向に貫通する貫通孔１５Ａを有する。図５、図６に示すように、貫通孔１５Ａは、搬送ローラ６１の搬送ローラ軸６１１よりも前後方向において前側に形成される。貫通孔１５Ａは、搬送ローラ６１の搬送ローラ軸６１１よりも搬送方向において下流側に形成される。貫通孔１５Ａは、貫通孔１５Ａと前後方向で同じ位置における搬送面１１より上側に形成される。貫通孔１５Ａは、後述する第２フレーム２の軸部２４Ａが挿入されるように形成される。
【００３０】
内側部分１２２Ａは、上端に、第１軸受１６Ａを有する。第１軸受１６Ａは、内側部分１２２Ａの上端の面に、左右方向に延びる溝として形成される。第１軸受１６Ａは、左方向と上方向において、外側に開放されている。第１軸受１６Ａは、上方向に開口１６１Ａを有する。図５、図６に示すように、第１軸受１６Ａは、前後方向において貫通孔１５Ａと同じ位置であり、上下方向において貫通孔１５Ａより下の位置に形成されている。また、図１７に示すように、第１軸受１６Ａは、左右方向において貫通孔１５Ａより左側に形成される。図５に示すように、第１軸受１６Ａは、第１軸受１６Ａから貫通孔１５Ａまでの距離（例えば、搬送方向の距離Ｄ２）が、貫通孔１５Ａから搬送ローラ６１の搬送ローラ軸６１１までの距離（例えば、搬送方向の距離Ｄ１）よりも小さくなるように、形成される。また、図５に示すように、第１軸受１６Ａは、第１軸受１６Ａから貫通孔１５Ａまでの距離（例えば、搬送方向の距離Ｄ２）が、貫通孔１５Ａから第２フレーム２の重心位置Ｇまでの距離（例えば、搬送方向の距離Ｄ３）よりも小さくなるように、形成される。図１７に示すように、第１軸受１６Ａは、左右方向において、第１読取デバイス５１の右端よりも右側の位置に、形成されている。第１軸受１６Ａは、後述する排紙トレイ３の回動軸３３Ａが上方から挿入される。
【００３１】
（左側面部１２Ｂ）
図１、図４、図５、図６に示すように、左側面部１２Ｂは、第１フレーム１の前方の左端から上方に向けて突出して形成される。左側面部１２Ｂは、外側部分１２１Ｂと内側部分１２２Ｂとを有する。外側部分１２１Ｂは、第１フレーム１の左端に配置されている。外側部分１２１Ｂの上端は、平面である。外側部分１２１Ｂの上端は、第１フレーム１が設置面に設置されたときに設置面と平行な平面になる。内側部分１２２Ｂは、外側部分１２１Ｂの右側に外側部分１２１Ｂに隣接して、配置されている。内側部分１２２Ｂの上端は、平面である。内側部分１２２Ｂの上端は、第１フレーム１が設置面に設置されたときに設置面と平行な平面になる。内側部分１２２Ｂの上端は、上下方向において、外側部分１２１Ｂの上端よりも下に位置する。図１７に示すように、内側部分１２２Ｂは、左右方向において、第１読取デバイス５１の左端よりも左側の位置に、形成されている。
【００３２】
図１、図４、図５、図６、図１７に示すように、外側部分１２１Ｂは、左右方向に貫通する貫通孔１５Ｂを有する。図５、図６に示すように、貫通孔１５Ｂは、搬送ローラ６１の搬送ローラ軸６１１よりも前後方向において前側に形成される。貫通孔１５Ｂは、搬送ローラ６１の搬送ローラ軸６１１よりも搬送方向において下流側に形成される。貫通孔１５Ｂは、貫通孔１５Ａと前後方向で同じ位置における搬送面１１より上側に形成される。貫通孔１５Ｂは、後述する第２フレーム２の軸部２４Ｂが挿入されるように形成される。貫通孔１５Ｂは、貫通孔１５Ａと同軸に形成されている。
【００３３】
内側部分１２２Ｂは、上端に、第２軸受１６Ｂを有する。第２軸受１６Ｂは、内側部分１２２Ｂの上端の面に、左右方向に延びる溝として形成される。第２軸受１６Ｂは、第１軸受１６Ａの延びる方向と同じ方向に延びる。第２軸受１６Ｂは、右方向と上方向において、外側に開放されている。第２軸受１６Ｂは、上方向に開口１６１Ｂを有する。図５、図６に示すように、第２軸受１６Ｂは、前後方向において貫通孔１５Ｂと同じ位置であり、上下方向において貫通孔１５Ｂより下の位置に形成されている。また、図１７に示すように、第２軸受１６Ｂは、左右方向において貫通孔１５Ｂより左側に形成される。図５に示すように、第２軸受１６Ｂは、第２軸受１６Ｂから貫通孔１５Ｂまでの距離（例えば、搬送方向の距離Ｄ２）が、貫通孔１５Ｂから搬送ローラ軸６１１までの距離（例えば、搬送方向の距離Ｄ１）よりも、小さくなるように、形成される。また、図５に示すように、第２軸受１６Ｂは、第２軸受１６Ｂから貫通孔１５Ｂまでの距離（例えば、搬送方向の距離Ｄ２）が、貫通孔１５Ｂから第２フレーム２の重心位置Ｇまでの距離（例えば、搬送方向の距離Ｄ３）よりも小さくなるように、形成される。図１７に示すように、第２軸受１６Ｂは、左右方向において、第１読取デバイス５１の左端よりも左側の位置に、形成されている。第２軸受１６Ｂは、後述する排紙トレイ３の回動軸３３Ｂが上方から挿入される。
【００３４】
（前突出部１４）
図１、図５、図６に示すように、前突出部１４は、第１フレーム１の前方に形成される。前突出部１４は、第１フレーム１から前方へ突出する。図４に示すように、前突出部１４は、左右方向において右側面部１２Ａと左側面部１２Ｂとの間に、形成される。前突出部１４は、前突出部１４の左右方向の長さが、第１読取デバイス５１の左右方向の長さと略同じ長さに、形成されている。前突出部１４は、搬送面１１の前端から連続する傾斜面を有している。前突出部１４は、排出口９の下方に配置される
【００３５】
（第２フレーム２）
図１、図５、図６に示すように、第２フレーム２は、略箱形状に形成される。図１の状態において、第２フレーム２は、下面に、前に向かうにつれて下に向かって傾斜する平面である搬送面２１を有する。第２フレーム２は、本体部２２と、図１の状態において本体部２２の前方に形成される突出部２３と、を有する。突出部２３は、図１の状態において、前方向に突出して形成される。突出部２３は、図１の状態において、本体部２２の右端に形成された右突出部２３Ａと、本体部２２の左端に形成された左突出部２３Ｂと、から構成される。第２フレーム２は、図１の状態において、右端の前側に、下側から切欠かれた切欠きを有する。切欠きは、本体部２２と右突出部２３Ａとに渡って形成され、前に向かうにつれて上側に深くなるように、形成される。第２フレーム２は、図１の状態において、左端の前側に、下側から切欠かれた切欠きを有する。切欠きは、本体部２２と左突出部２３Ｂとに渡って形成され、前に向かうにつれて上側に深くなるように、形成される。右突出部２３Ａは右方向に延びる軸部２４Ａを有する。左突出部２３Ｂは左方向に延びる軸部２４Ｂを有する。第２フレーム２は、本体部２２の内部に、従動ローラ４２、第２読取デバイス５２、及び、従動ローラ６２を有する。第２フレーム２は、図１の状態において、本体部２２の上側に走査パネル７を有する。軸部２４Ａ、２４Ｂが第１フレーム１の貫通孔１５Ａ、１５Ｂに挿入されることにより、第２フレーム２は、第１フレーム１に対して軸部２４Ａ、２４Ｂを中心軸として回動可能に、構成される。第２フレーム２は、図１、図２等に示す閉位置と、図３等に示す開位置と、の間で回動する。
【００３６】
（従動ローラ）
図５、図６に示すように、従動ローラ４２は、第２フレーム２の内部に設けられる。従動ローラ４２は、第２フレーム２の左右方向の中央部に設けられる。従動ローラ４２は、左右方向の軸を中心に回動可能に、第２フレーム２に支持される。従動ローラ４２は、図１の状態において、下側の一部が、搬送面２１より下側に突出している。従動ローラ４２は、図１の状態において、搬送ローラ４１と対向（例えば、接触）するように、配置される。従動ローラ４２は、図１の状態において、搬送ローラ４１に向けて読取媒体を押圧する。読取媒体は、従動ローラ４２により搬送ローラ４１に押し付けられることにより、搬送ローラ４１の回転による搬送ローラ４１からの摩擦力を受けて、搬送ローラ４１の回転により搬送される。従動ローラ４２は、読取媒体の搬送に従って回転する。
【００３７】
（第２読取デバイス５２）
図５、図６に示すように、第２読取デバイス５２は、第２フレーム２の内部において、従動ローラ４２より前方に設けられる密着イメージセンサＣＩＳ（Contact  Image  Sensor）である。第２読取デバイス５２は、図１の状態において、第１読取デバイス５１と対向して、設けられる。第２読取デバイス５２は、左右方向に延び、左右方向おいて搬送面２１と同じ長さとなるように、形成される。第２読取デバイス５２は、発光部と受光部とを有し、反射光を読み取る。第２取デバイス５２は、図１の状態において、搬送方向において、従動ローラ４２よりも下流側に配置される。第２読取デバイス５２は、第２読取デバイス５２に対向する位置に搬送された読取媒体の上面の画像を読み取る。以下、第１読取デバイス５１と第２読取デバイス５２とをまとめて読取デバイス５とすることがある。
【００３８】
（従動ローラ６２）
図５、図６に示すように、従動ローラ６２は、図１の状態において、第２フレーム２の内部において、第２フレーム２の前方に設けられる。従動ローラ６２は、左右方向の軸を中心に回動可能に、第２フレーム２に支持される。従動ローラ６２は、図１の状態において、下側の一部が、搬送面２１より下側に突出している。従動ローラ６２は、図１の状態において、搬送ローラ６１と対向（例えば、接触）するように、配置される。従動ローラ６２は、図１の状態において、搬送ローラ６１に向けて読取媒体を押圧する。読取媒体は、従動ローラ６２により搬送ローラ６１に押し付けられることにより、搬送ローラ６１の回転による搬送ローラ６１からの摩擦力を受けて、搬送ローラ６１の回転により搬送される。従動ローラ６２は、読取媒体の搬送に従って回転する。
【００３９】
（操作パネル７）
図２、図５、図６に示すように、操作パネル７は、図１の状態において、第２フレーム２の上側に、左右方向の中央であり前後方向の中央に設けられる。操作パネル７は、例えば、タッチパネルであり、情報を表示するとともに指示を受け付ける。画像読取装置１００は、操作パネル７から入力された指示に基づいて、読取や搬送などの各種の動作を実行する。
【００４０】
（本体部２２）
図１等に示すように、本体部２２は、略箱形状に形成される。本体部２２は、図１の状態において下側に搬送面２１が形成される。図１の状態において搬送面２１は搬送面２２と対向するように配置される。
【００４１】
（右突出部２３Ａ）
右突出部２３Ａは、図１の状態において本体部２２の前側の右端に設けられる。右突出部２３Ａは、図１の状態において前方向に突出して形成される。右突出部２３Ａは、図１の状態において右下に切欠きが形成されているので、右突出部２３Ａは、図１の状態において下側の部分の左右方向の厚さが、図１の状態において上側の部分の左右方向の厚さよりも小さく、形成されている。右突出部２３Ａは、図１の状態において上側の部分の左右方向の厚さが、右側面部１２Ａの左右方向の厚さと、略等しい厚さに形成される。右突出部２３Ａは、図１の状態において下側の部分の左右方向の厚さが、右側面部１２Ａの内側部分１２２Ａの左右方向の厚さと、略等しい厚さに形成される。右突出部２３Ａは、図１の状態において下側の部分から右方向に突出する軸部２４Ａを有する。
【００４２】
軸部２４Ａは、左右方向を軸とする円柱形状として形成される。軸部２４Ａは、貫通孔１５Ａに挿入される。軸部２４Ａは、貫通孔１５Ａに回動自在に支持される。図５、図６に示すように、右突出部２３Ａは、図１の状態において下方に延びる延長部２３１Ａと、延長部２３１Ａの下端に設けられた閉塞部２５Ａとを有する。延長部２３１Ａは、図１の状態では、上下方向において軸部２４Ａより下に配置される。延長部２３１Ａは、図１における上下方向における軸部２４Ａから閉塞部２５Ａまでの距離が、図１における上下方向における貫通孔１５Ａから第１軸受１６Ａの開口１６１Ａまでの距離と略等しくなるように、形成される。
【００４３】
図４に示すように、閉塞部２５Ａは、左右方向において軸部２４Ａより左側に形成される。図４、図５、図６に示すように、閉塞部２５Ａは、図１の状態において、内側部分１２２Ａの上端の面と対向する。閉塞部２５Ａは、図１の状態において、左右方向及び前後方向において第１軸受１６Ａと同じ位置に、配置される。図４、図５、図６に示すように、閉塞部２５Ａは、図１の状態において、上下方向において第１軸受１６Ａの上に配置される。閉塞部２５Ａは、図１の状態において、第１軸受１６Ａの開口１６１Ａを閉塞する。右突出部２３Ａは、図１の状態において軸部２４Ａから前側の端までの長さ（例えば、図１１に示すＬ２）が、軸部２４Ａから閉塞部２５Ａまでの長さ（例えば、図１１に示すＬ３）より短い長さに、形成される。
【００４４】
（左突出部２３Ｂ）
左突出部２３Ｂは、図１の状態において本体部２２の前側の左端に設けられる。左突出部２３Ｂは、図１の状態において前方向に突出して形成される。左突出部２３Ｂは、図１の状態において左下に切欠きが形成されているので、左突出部２３Ｂは、図１の状態において下側の部分の左右方向の厚さが、図１の状態において上側の部分の左右方向の厚さよりも小さく、形成されている。左突出部２３Ｂは、図１の状態において上側の部分の左右方向の厚さが、左側面部１２Ｂの左右方向の厚さと、略等しい厚さに形成される。左突出部２３Ｂは、図１の状態において下側の部分の左右方向の厚さが、左側面部１２Ｂの内側部分１２２Ｂの左右方向の厚さと、略等しい厚さに形成される。左突出部２３Ｂは、図１の状態において下側の部分から左方向に突出する軸部２４Ｂを有する。
【００４５】
軸部２４Ａは、左右方向を軸とする円柱形状として形成される。軸部２４Ｂは、貫通孔１５Ｂに挿入される。軸部２４Ｂは、貫通孔１５Ｂに回動自在に支持される。軸部２４Ａと軸部２４Ｂとを合わせて軸部２４とする。右突出部２３Ｂは、図１の状態において下方に延びる延長部２３１Ｂと、延長部２３１Ｂの下端に設けられた閉塞部２５Ｂとを有する。延長部２３１Ｂは、図１の状態では、上下方向において軸部２４Ｂより下に配置される。延長部２３１Ｂは、図１における上下方向における軸部２４Ｂから閉塞部２５Ｂまでの距離が、図１における上下方向における貫通孔１５Ｂから第１軸受１６Ｂの開口１６１Ｂまでの距離と略等しくなるように、形成される。
【００４６】
図４に示すように、閉塞部２５Ｂは、軸部２４Ｂより左側に形成される。図４、図５、図６に示すように、閉塞部２５Ｂは、図１の状態において、内側部分１２２Ｂの上端の面と対向する。閉塞部２５Ｂは、図１の状態において、左右方向及び前後方向において第１軸受１６Ｂと同じ位置に、配置される。図４、図５、図６に示すように、閉塞部２５Ｂは、図１の状態において、上下方向において第１軸受１６Ｂの上に配置される。閉塞部２５Ｂは、図１の状態において、第１軸受１６Ｂの開口１６１Ｂを閉塞する。右突出部２３Ｂは、図１の状態において軸部２４Ｂから前側の端までの長さ（例えば、図１１に示すＬ２）が、軸部２４Ｂから閉塞部２５Ｂまでの長さ（例えば、図１１に示すＬ３）より短い長さに、形成される。
【００４７】
第２フレーム２は、軸部２４を中心として、第１フレーム１に対して回動可能に構成される。第２フレーム２は、図１及び図２に示すように、第２フレーム２の搬送面２１が第１フレーム１の搬送面１１に対向する閉位置と、図３に示すように、第２フレーム２の搬送面２１が第１フレーム１の搬送面１１から離隔する閉位置と、の間で回動可能に構成される。
【００４８】
（排紙トレイ３）
排紙トレイ３は、第１フレーム１に対して着脱可能に設けられている。排紙トレイ３は、第１フレーム１に装着された状態では、図１に示す非使用位置と、図２及び図３に示す使用位置との間で回動可能に、第１フレーム１に支持されている。排紙トレイ３は、トレイ面３４を有する。排紙トレイ３は、使用位置において、トレイ面３４の上に排出口９から排出された読取媒体が載置される。排紙トレイ３は、基部３１、本体部３２、回動軸３３Ａ、及び、回動軸３３Ｂを有する。
【００４９】
基部３１は、板状の部材であり、図２に示す状態において、前に向かって下方に傾斜して形成される。基部３１は、図７に示すように、左右方向において、内側部分１２２Ａから内側部分１２２Ｂまでの左右方向の長さより小さい長さに、形成される。本体部３２は、板状の部材である。本体部３２は、図２に示す状態において、基部３１の前から、基部３１が伸びる方向とは異なる方向に向かって延びる。本体部３２は、図２に示す状態において、上の面にトレイ面３４を有する。トレイ面３４は、読取媒体を保持する。
【００５０】
（回動軸３３Ａ）
回動軸３３Ａは、図４、図１７に示すように、基部３１の後方から右方向に向かって延びる。回動軸３３Ａは、左右方向を中心軸とする円柱形状である。回動軸３３Ａの外径は、第１軸受１６Ａの前後方向の長さよりもわずかに小さく形成される。回動軸３３Ａは、左右方向において、第１軸受１６Ａの左右方向の長さよりもわずかに小さい長さに形成される。回動軸３３Ａは、上下方向において、第１軸受１６Ａの上下方向の長さよりもわずかに小さい長さに形成される。回動軸３３Ａは、第１軸受１６Ａの内部に、第１軸受３３Ａの上側の開口１６１Ａを介して、挿入可能に形成される。
【００５１】
（回動軸３３Ｂ）
回動軸３３Ｂは、図４、図１７に示すように、基部３１の後方から左方向に向かって延びる。回動軸３３Ｂは、左右方向を中心軸とする円柱形状である。回動軸３３Ｂは、回動軸３３Ａの中心軸と同一の中心軸となるように、形成される。回動軸３３Ｂの外径は、第２軸受１６Ｂの前後方向の長さよりもわずかに小さく形成される。回動軸３３Ｂは、左右方向において、第２軸受１６Ｂの左右方向の長さよりもわずかに小さい長さに形成される。回動軸３３Ｂは、上下方向において、第２軸受１６Ｂの上下方向の長さよりもわずかに小さい長さに、形成される。回動軸３３Ｂは、第２軸受３３Ｂの内部に、第２軸受３３Ｂの上側の開口１６１Ｂを介して、挿入可能に形成される。
【００５２】
（画像読取装置１００の動作）
次に、図１に示す状態、図２に示す状態、及び、図３に示す状態に、第２フレーム２及び排紙トレイ３が位置する状態における、画像読取装置１００の動作について、説明する。図１に示す状態は、画像読取装置１００の設置面積を小さくして読取媒体を搬送し画像読取処理を行う為の状態である。図２に示す状態は、読取媒体を搬送し画像読取処理を行うとともに、排出トレイ３に読取媒体を保持する為の状態である。図３に示す状態は、搬送経路に詰まった読取媒体等を搬送経路から除去する為の状態であるとともに、排紙トレイ３を着脱する為の状態である。
【００５３】
（図１に示す状態における動作）
図１、図４、図５、図６、図１７を参照して、図１に示す状態について説明する。図１に示す状態において、第２フレーム２は、第１フレーム１の上側に、配置されている。第２フレーム２は、自重により、外部から力が加えられていない状態では、開位置から閉位置に向かう方向に回転する力が加えられている。第２フレーム２は、閉位置に位置する。図１に示す状態において、排紙トレイ３は、第２フレーム３の上側に、配置されており、第２フレーム２と排紙トレイ３のトレイ面３４とが対向して配置されている。排紙トレイ３は、非使用位置に位置する。
【００５４】
第２フレーム２が閉位置に位置すると、第１フレーム１の搬送面１１と第２フレーム２の搬送面１２が対向する。搬送面１１と搬送面１２とに挟まれた空間が、読取媒体が搬送される搬送経路となる。搬送経路は、後方に開放されている。搬送面１１と搬送面１２とに挟まれた空間の後端は、読取媒体が後ろから前方向に挿入される挿入口８となる。搬送面１１と搬送面１２とに挟まれた空間は、前方に開放されている。搬送面１１と搬送面１２とに挟まれた空間の前端は、搬送経路から読取媒体が後ろから前方向に排出される排出口９となる。従動ローラ４２は、閉位置に位置する場合、搬送ローラ４１と対向する位置に、配置される。第２読取デバイス５２は、閉位置に位置する場合、第１読取デバイスと対向する位置に、配置される。従動ローラ６２は、閉位置に位置する場合、搬送ローラ６１と対向する位置に配置される。第２フレーム２は、閉位置に位置する場合、閉塞部２５Ａが第１軸受１６Ａの上に位置して第１軸受１６Ａの開口１６１Ａを閉塞し、閉塞部２５Ｂが第２軸受１６Ｂの上に位置して第２軸受１６Ｂの開口１６１Ｂを閉塞する位置に、配置される。排紙トレイ３の回動軸３３Ａは、第１軸受１６Ａに挿入されている。閉塞部２５Ａは、回動軸３３Ａが上方へ移動することを規制する。排紙トレイ３の回動軸３３Ｂは、第２軸受１６Ｂに挿入されている。閉塞部２５Ｂは、回動軸３３Ｂが上方へ移動することを規制する。
【００５５】
排紙トレイ３は、非使用位置に位置する場合、排出口９より上方に位置している。排紙トレイ３は、非使用位置に位置する場合、排出口９から排出される読取媒体の経路上から退避した位置に配置される。排紙トレイ３が非使用位置に配置される場合、排紙トレイ３は、前突出部１４と排出口９との間に配置されない。排紙トレイ３は、非使用位置に位置する場合、基部３１が右突出部２３Ａと左突出部２３Ｂとに挟まれた位置に、配置される。排紙トレイ３は、非使用位置に位置する場合、本体部３２が第２フレーム２に上側から接触する位置に、配置される。排紙トレイ３は、非使用位置に位置する場合、操作パネル７を覆う位置に配置される。よって、排紙トレイ３が非使用位置に位置する場合、操作パネル７を操作することができない。また、排紙トレイ３が非使用位置に位置する場合、操作パネル７の表示をユーザが視認することができない。排紙トレイ３が非使用位置に位置する場合、排紙トレイ３が第２フレーム２の上に配置されるので、排紙トレイ３が前方に位置する場合と比較して、前後方向に画像読取装置１００の設置長さを小さくすることができる。
【００５６】
図１に示すように、第２フレーム２が閉位置に位置し、排紙トレイ３が非使用位置に位置する場合の、画像読取装置１００の動作について、説明する。
【００５７】
読取媒体が、挿入口８に挿入される。挿入された読取媒体は、搬送経路に沿って搬送される。画像読取装置１００は、搬送ローラ４１を回転させる。従動ローラ４２は、搬送ローラ４１と従動ローラ４２との間に到達した読取媒体を、搬送ローラ４１に向けて押し付ける。搬送ローラ４１は、搬送ローラ４１と搬送ローラ４１に接触した読取媒体との間の摩擦力によって、読取媒体を搬送する。搬送ローラ４１は、第１フレーム１の搬送面１１と第２フレーム２の搬送面２１とに挟まれた搬送経路に沿って、読取媒体を搬送する。搬送された用紙が読取デバイス５と対向する位置に到達すると、画像読取装置１００は、読取デバイス５に読取媒体の画像を読み取らせる。第１読取デバイス５１は、読取媒体の下面の画像を読み取る。第２読取デバイス５２は、読取媒体の上面の画像を読み取る。画像読取装置１００は、搬送ローラ６１を回転させる。従動ローラ６２は、搬送ローラ６１と従動ローラ６２との間に到達した読取媒体を、搬送ローラ６１に向けて押し付ける。搬送ローラ４１は、搬送ローラ４１と搬送ローラ４１に接触した読取媒体との間の摩擦力によって、読取媒体を搬送する。搬送ローラ４１により搬送された読取媒体は、排出口９から排出される。読取媒体が排出される方向には、排紙トレイ３が存在しないので、読取媒体は排出口９から画像読取装置１００の外部へ排出される。
【００５８】
（図２に示す状態における動作）
図２、図７、図８、図９を参照して、図２に示す状態について説明する。図２に示す状態において、第２フレーム２は、第１フレーム１の上側に、配置されており、搬送面１１と搬送面２１とが対向して配置されている。第２フレーム２は、閉位置に位置する。図２に示す状態において、排紙トレイ３は、画像読取装置１００の前側に、配置される。図２に示す状態において、排紙トレイ３のトレイ面３４は上向きに配置される。排紙トレイ３は使用位置に位置する。
【００５９】
第２フレーム２が閉位置に位置すると、第１フレーム１の搬送面１１と第２フレーム２の搬送面１２とが対向第１フレーム１と第２フレーム２との位置関係は、前述の図１の状態と同様であるため、記載を省略する。
【００６０】
排紙トレイ３は、使用位置に位置する場合、第１フレーム１及び第２フレーム２より前方に位置している。排紙トレイ３は、使用位置に位置する場合、排出口９よりも下方にトレイ面３４が位置するように配置される。また、排紙トレイ３は、排出口９から排出された読取媒体が搬送される経路上にトレイ面３４が位置するように、配置される。排紙トレイ３は、使用位置に位置する場合、トレイ面３４の上に読取媒体を保持する。排紙トレイ３は、基部３１が前突出部１４に上から接触するように配置される。前突出部１４は、排紙トレイ３の基部３１の下方に配置される。排紙トレイ３が使用位置に配置される場合、排紙トレイ３は、前突出部１４と排出口９との間に配置される。排紙トレイ３は、使用位置に位置する場合、基部３１が右突出部２３Ａと左突出部２３Ｂとに挟まれた位置から退避した位置に、配置される。排紙トレイ３は、使用位置に位置する場合、本体部３２が第２フレーム２に接触せず、トレイ面３４が上を向く位置に、配置される。排紙トレイ３は、使用位置に位置する場合、トレイ面３４が前に向かって上り傾斜するように、配置される。排紙トレイ３は、使用位置に位置する場合、操作パネル７を覆わない位置に配置される。よって、排紙トレイ３が使用位置に位置する場合、操作パネル７はユーザにより操作されることができる。従って、排紙トレイ３が使用位置に位置する場合、画像読取装置１００は、操作パネル７を介して、読取開始停止指示や読取枚数等の各種指示を受け付けることができる。また、排紙トレイ３が使用位置に位置する場合、操作パネル７の表示をユーザが視認することができる。排紙トレイ３が使用位置に位置する場合、排紙トレイ３が画像読取装置１００の前方に配置されるので、排紙トレイ３が非使用位置に位置する場合と比較して、前後方向における画像読取装置１００の設置長さが大きくなる。
【００６１】
図２に示すように、第２フレーム２が閉位置に位置し、排紙トレイ３が非使用位置に位置する場合の、画像読取装置１００の動作について、説明する。
【００６２】
読取媒体が挿入口８に挿入されてから排出口９から排出されるまでの画像読取装置１００の動作は、第２フレーム２が閉位置に位置し、排紙トレイ３が非使用位置に位置する場合と同様であるため、記載を省略する。読取媒体が排出される方向には、排紙トレイ３が存在するので、排出口９から排出された読取媒体は、排紙トレイ３に到達する。排紙トレイ３は、排出口９から排出された読取媒体を保持する。
【００６３】
（図３に示す状態における動作）
図３、図１０、図１１、図１２を参照して、図３に示す状態について説明する。図３に示す状態において、第２フレーム２は、第１フレーム１から離隔して配置されており、閉位置と比較して搬送面１１と搬送面２１とが離隔して配置されている。第２フレーム２は、開位置に位置する。図２に示す状態において、排紙トレイ３は、画像読取装置１００の前側に、配置されており、排紙トレイ３のトレイ面３４が上向きに配置されている。排紙トレイ３は使用位置に位置する。
【００６４】
第２フレーム２が開位置に位置すると、第１フレーム１の搬送面１１と第２フレーム２の搬送面１２とが離隔して、搬送面１１が上方に開放された状態になる。従動ローラ４２は、開位置に位置する場合、搬送ローラ４１と離隔した位置に、配置される。第２読取デバイス５２は、開位置に位置する場合、第１読取デバイス５１から離隔した位置に、配置される。従動ローラ６２は、開位置に位置する場合、搬送ローラ６１から離隔した位置に配置される。第２フレーム２は、開位置に位置する場合、閉塞部２５Ａが第１軸受１６Ａから離隔した位置に位置して第１軸受１６Ａの開口１６１Ａを開放し、閉塞部２５Ｂが第２軸受１６Ｂから離隔した位置に位置して第２軸受１６Ｂの開口１６１Ｂを開放する位置に、配置される。閉塞部２５Ａ、２５Ｂは、開位置に位置する場合、後方を向く。閉位置における突出部２３Ａの前端部が、開位置においては、第１軸受１６Ａの上方に位置する。閉位置における突出部２３Ａの前端部が、開位置においては、第１軸受１６Ａから上方向に離隔した位置に、位置する。閉位置における突出部２３Ｂの前端部が、開位置においては、第２軸受１６Ｂの上方に、位置する。閉位置における突出部２３Ｂの前端部が、開位置においては、第２軸受１６Ｂから上方向に離隔した位置に、位置する。図１１に示すように、開位置においては、内側部分１２２Ａの上端から第２フレーム２の開位置における下端までの距離Ｌ１は、回動軸３３Ａの径より大きい。図１１に示すように、開位置においては、内側部分１２２Ｂの上端から第２フレーム２の開位置における下端までの距離Ｌ１は、回動軸３３Ｂの径より大きい。排紙トレイ３の回動軸３３Ａは、第１軸受１６Ａに挿入されている。第１軸受１６Ａの上方は開放されているので、回動軸３３Ａは、上方へ移動することが規制されていない。排紙トレイ３の回動軸３３Ｂは、第２軸受１６Ｂに挿入されている。第２軸受１６Ｂの上方は開放されているので、回動軸３３Ｂは、上方へ移動することが規制されていない。
【００６５】
排紙トレイ３は、使用位置に位置する場合、画像読取装置１００より前方に位置している。排紙トレイ３は、使用位置に位置する場合、排出口９よりも下方にトレイ面３４が位置するように配置される。排紙トレイ３は、排出口９から排出された読取媒体が搬送される経路上にトレイ面３４が位置するように、配置される。排紙トレイ３は、使用位置に位置する場合、トレイ面３４の上に読取媒体を保持する。排紙トレイ３は、基部３１が前突出部１４に上から接触するように配置される。前突出部１４は、排出口９の下方に配置される。前突出部１４は、排紙トレイ３の基部３１の下方に配置される。排紙トレイ３が使用位置に配置される場合、排紙トレイ３は、前突出部１４と排出口９との間に配置される。排紙トレイ３は、使用位置に位置する場合、基部３１が右突出部２３Ａと左突出部２３Ｂとに挟まれた位置から退避した位置に、配置される。排紙トレイ３は、使用位置に位置する場合、本体部３２が第２フレーム２に接触せず、トレイ面３４が上を向く位置に、配置される。排紙トレイ３は、使用位置に位置する場合、トレイ面３４が前に向かって上り傾斜するように、配置される。排紙トレイ３は、使用位置に位置する場合、操作パネル７を覆わない位置に配置される。よって、排紙トレイ３が使用位置に位置する場合、操作パネル７はユーザに操作されることができる。従って、排紙トレイ３が使用位置に位置する場合、画像読取装置１００は、操作パネル７を介して、読取開始停止指示や読取枚数等の各種指示を受け付けることができる。また、排紙トレイ３が使用位置に位置する場合、操作パネル７の表示をユーザが視認することができる。排紙トレイ３が使用位置に位置する場合、排紙トレイ３が画像読取装置１００の前方に配置されるので、排紙トレイ３が使用位置に位置する場合と比較して、前後方向における画像読取装置１００の設置長さが大きくなる。
【００６６】
図３に示すように、第２フレーム２が閉位置に位置し、排紙トレイ３が非使用位置に位置する場合について、説明する。
【００６７】
図３に示す状態において、画像読取装置１００は、読取媒体の搬送を行わない。読取媒体が搬送経路で詰まった場合、ユーザは、第２フレーム２を図３に示す開位置に位置させる。開位置においては、第２フレーム２が閉位置に位置する場合と比較して搬送面１１と搬送面２１との距離が大きい。開位置においては、搬送ローラ４１、６１と従動ローラ４１，６２とが離隔する。従って、詰まった読取媒体が取り出されやすい。また、開位置においては、第２フレーム２が閉位置に位置する場合と比較して搬送面１１と搬送面２１との距離が大きいので、ユーザが搬送面１１と搬送面２１との間に手を挿入する等の処理を行うことが可能となり、詰まった読取媒体を搬送経路から除去することが容易になる。
【００６８】
（着脱動作）
また、図３に示す状態において、排紙トレイ３は、画像読取装置１００から取り外されることが可能となっている。以下、主に図１１〜１６に基づいて、排紙トレイ３が画像読取装置１００から着脱される動作について説明する。
【００６９】
図１０、１１、１２に示すように、排紙トレイ３を画像読取装置１００から取り外す場合には、まず、ユーザは、第２フレーム２を開位置とする。第２フレーム２が開位置に位置する場合、閉塞部２５Ａ及び閉塞部２５Ｂは、第１軸受１６Ａ及び第２軸受１６Ｂから、それぞれ離隔した位置に位置する。第２フレーム２が開位置に位置する場合、第１軸受１６Ａ及び第２軸受１６Ｂは、上側が開放される。第２フレーム２が開位置に位置する場合、第１軸受１６Ａに挿入された回動軸３３Ａは、上方向に移動することが可能である。第２フレーム２が開位置に位置する場合、第２軸受１６Ｂに挿入された回動軸３３Ｂは、上方向に移動することが可能である。
【００７０】
図１３、１４に示すように、第２フレーム２が開位置に位置する場合、回動軸３３Ａ及び回動軸３３Ｂは、上方向に移動し、第１軸受１６Ａ及び第２軸受１６Ｂから外れた位置に位置することができる。
【００７１】
第２フレーム２が開位置に位置する場合、内側部分１２２Ａ及び内側部分１２２Ｂの上端から、開位置に位置する場合の第２フレーム２の下端までの距離Ｌ１は、回動軸３３Ａ及び回動軸３３Ｂの径よりも大きい。したがって、第２フレーム２が開位置に位置する場合、回動軸３３Ａ及び回動軸３３Ｂは、内側部分１２２Ａ及び内側部分１２２Ｂの上端と、開位置に位置する場合の第２フレームの下端との間を通過することができる。
【００７２】
図１５、１６に示すように、回動軸３３Ａ及び回動軸３３Ｂは、内側部分１２２Ａ及び内側部分１２２Ｂの上端と、開位置に位置する場合の第２フレームの下端との間を通過して、前方向に移動することができる。また、回動軸３３Ａ及び回動軸３３Ｂは、軸部２４Ａ及び軸部２４Ｂよりも左右方向の内側に位置している。よって、回動軸３３Ａ及び回動軸３３Ｂは、軸部２４Ａ及び軸部２４Ｂに当接することなく、前方向に移動することができる。このようにして、第２フレーム２が開位置に位置する場合、排紙トレイ３は、第２フレームに規制されることなく、画像読取装置１００から取り外される。また、本実施形態においては、排紙トレイ３を第１フレーム１から取り外すためには、排紙トレイ３を上方向に移動させる動作と、排紙トレイ３を前方向に移動させる動作との、２つの動作が必要となっている。第２フレーム２が開位置に位置する場合において、詰まった読取媒体を除去する場合等の排紙トレイ３が取り外される必要が無い場合に、誤って排紙トレイ３が外される可能性を抑制することができる。
【００７３】
排紙トレイ３が画像読取装置１００から取り外された状態で、第２フレーム２を閉位置に位置させることができる。排紙トレイ３が装置から取り外された状態で、第２フレーム２を閉位置に位置させた場合、排紙トレイ３が画像読取装置１００から取り外されているので、画像読取装置１００の前後方向の設置長さを小さくすることができる。また、排紙トレイ３が画像読取装置１００から取り外された状態で、第２フレーム２を閉位置に位置させた場、操作パネル７が排紙トレイ３により覆われることがないので、操作パネル７が露出する。したがって、操作パネル７を介して画像読取装置１００に各種指示を与えることができる。また、操作パネル７に各種の情報を表示することができる。
【００７４】
また、画像読取装置１００から取り外された排紙トレイ３を、再び、画像読取装置１００に装着することもできる。排紙トレイ３を画像読取装置１００に装着する場合には、まず、ユーザは、第２フレーム２を開位置とする。第２フレーム２が開位置に位置する場合、排紙トレイ３を取り外した経路と逆の経路を、回動軸３３Ａ及び回動軸３３Ｂが通過する。これにより、回動軸３３Ａ及び回動軸３３Ｂが、第１軸受１６Ａ及び第２軸受１６Ｂの内部に配置される。
回動軸３３Ａ及び回動軸３３Ｂが、第１軸受１６Ａ及び第２軸受１６Ｂに挿入された後、第２フレーム２を閉位置に位置させる。第２フレーム２を閉位置に位置させると、第２フレーム２の閉塞部２５Ａ及び閉塞部２５Ｂが、第１軸受１６Ａ及び第２軸受１６Ｂの上方に配置される。第２フレーム２を閉位置に位置させると、第２フレーム２の閉塞部２５Ａ及び閉塞部２５Ｂが、回動軸３３Ａ及び回動軸３３Ｂが上へ移動するのを、規制する。したがって、第２フレーム２が閉位置に位置すると、回動軸３３Ａ及び回動軸３３Ｂが上へ移動することがないので、排紙トレイ３が画像読取装置１００から取り外されることがない。本実施形態においては、閉塞部２５Ａ及び閉塞部２５Ｂが、閉塞部２５Ａ及び閉塞部２５Ｂから第２フレーム２の軸部２４Ａ、２４Ｂまでの搬送方向の距離Ｄ２が第２フレーム２の軸部２４Ａ、２４Ｂから搬送ローラ６１の搬送ローラ軸６１１までの距離Ｄ１よりも短くなるように、配置されている。また、閉塞部２５Ａ及び閉塞部２５Ｂが、閉塞部２５Ａ及び閉塞部２５Ｂから第２フレーム２の軸部２４Ａ、２４Ｂまでの搬送方向の距離Ｄ２が第２フレーム２の軸部２４Ａ、２４Ｂから第２フレーム２の重心位置Ｇまでの距離Ｄ３よりも短くなるように、配置されている。よって、回動軸３３Ａ及び回動軸３３Ｂが上へ移動することが抑制される。従って、第２フレーム２が閉位置にあるときに、排紙トレイ３の回動軸３３Ａ及び回動軸３３Ｂが第１フレーム１の第１軸受１６Ａ及び第２軸受１６Ｂから外れる可能性が抑制される。また、本実施形態においては、閉塞部２５Ａ及び閉塞部２５Ｂが、第２フレーム２の軸部２４Ａ、２４Ｂよりも搬送方向において下流側に配置されている。閉塞部２５Ａ及び閉塞部２５Ｂに上向きの力が加えられた場合、第２フレーム２が閉位置から開位置へ回転するのと反対向きのモーメントが、第２フレーム２に与えられる。したがって、第２フレーム２が開位置に移動して、排紙トレイ３の回動軸３３Ａ及び回動軸３３Ｂが第１フレーム１の第１軸受１６Ａ及び第２軸受１６Ｂから外れる可能性が抑制される。
【００７５】
第２フレーム２が閉位置に位置し、第２フレーム２の閉塞部２５Ａ及び閉塞部２５Ｂが、第１軸受１６Ａ及び第２軸受１６Ｂの上方に位置する場合においても、閉塞部２５Ａ及び閉塞部２５Ｂは、回動軸３３Ａ及び回動軸３３Ｂが第１軸受１６Ａ及び第２軸受１６Ｂの内部で回動することは、規制していない。よって、第２フレーム２が閉位置に位置する場合、回動軸３３Ａ及び回動軸３３Ｂが回動し、排紙トレイ３が使用位置と非使用位置との間で、移動可能となっている。
【００７６】
上述の実施形態において、画像読取装置１００は、本発明における画像読取装置に相当する。第１フレーム１は、本発明における第１フレームに相当する。第２フレーム２は、本発明における第２フレームに相当する。排紙トレイ３は、本発明における排紙トレイに相当する。搬送面１１は、本発明における第１の搬送面に相当する。第１軸受１６Ａは、本発明における第１軸受に相当する。第２軸受１６Ｂは、本発明における第２軸受に相当する。搬送面２１は、本発明における第２の搬送面に相当する。軸部２４Ａは、本発明における第１接続位置に相当する。軸部２４Ｂは、本発明における第２接続位置に相当する。回動軸３３Ａ、３３Ｂは、本発明における回動軸に相当する。トレイ面３４は、本発明におけるトレイ面に相当する。読取デバイス５は、本発明における読取デバイスに相当する。搬送ローラ６１は、本発明における搬送ローラに相当する。搬送ローラ軸６１１は、本発明における搬送ローラ軸に相当する。重心位置Ｇは、本発明における所定の位置に相当する。搬送方向は、本発明における搬送方向に相当する。左右方向は、本発明における主走査方向に相当する。
【００７７】
（変形例）
本発明は上述の実施形態に限定されるものでなく、種々の変更が可能である。上述の実施形態では、第１軸受１６Ａ及び第２軸受１６Ｂは、上方に開口していたが、第１軸受１６Ａ及び第２軸受１６Ｂが開口する方向はこれに限らない。第１軸受１６Ａ及び第２軸受１６Ｂが、前方向等に開口していてもよい。この場合、第２フレームは、閉位置において第１軸受１６Ａ及び第２軸受１６Ｂの開口を閉塞する位置に閉塞部を設けるように、構成される。
【００７８】
また、上述の実施形態では、第１軸受１６Ａ及び第２軸受１６Ｂは、それぞれ、前後方向において貫通孔１５Ａ、１５Ｂと同じ位置であり、上下方向において貫通孔１５Ａ、１５Ｂより下の位置に形成されていたが、第１軸受１６Ａ及び第２軸受１６Ｂと貫通孔１５Ａ、１５Ｂとの位置関係はこれに限らない。
【００７９】
また、上述の実施形態では、第１軸受１６Ａは、左右方向において貫通孔１５Ａより左側に形成され、第２軸受１６Ｂは、左右方向において貫通孔１５Ｂより右側に形成されていたが、第１軸受１６Ａ及び第２軸受１６Ｂと貫通孔１５Ａ、１５Ｂとの位置関係はこれに限らない。第１軸受１６Ａが、左右方向において貫通孔１５Ａより右側に形成され、第２軸受１６Ｂが、左右方向において貫通孔１５Ｂより左側に形成されていてもよい。
【００８０】
また、上述の実施形態では、第１軸受１６Ａは、搬送方向において貫通孔１５Ａより下流側に形成され、第２軸受１６Ｂは、搬送方向において貫通孔１５Ｂより下流側に形成されていたが、第１軸受１６Ａ及び第２軸受１６Ｂと貫通孔１５Ａ、１５Ｂとの位置関係はこれに限らない。第１軸受１６Ａが、搬送方向において貫通孔１５Ａより上流側に形成され、第２軸受１６Ｂが、搬送方向において貫通孔１５Ｂより上流側に形成されていてもよい。
【００８１】
また、上述の実施形態では、第１軸受１６Ａ及び第２軸受１６Ｂは、左右方向において読取デバイス５の内側に形成されていたが、第１軸受１６Ａ及び第２軸受１６Ｂと読取デバイス５との位置関係はこれに限らない。
【００８２】
また、上述の実施形態では、排紙トレイ３を第１フレーム１から取り外すためには、排紙トレイ３を上方向に移動させる動作と、排紙トレイ３を前方向に移動させる動作との、２つの動作が行われる構成となっていたが、排紙トレイ３が第１フレーム１から取り外される構成はこれに限らない。例えば、排紙トレイ３と第１フレーム１は、排紙トレイの回動軸を第１フレームの軸受に挿入するだけで、排紙トレイ３が第１フレーム１に取り付けられる構成であってもよい。
【００８３】
また、上述の実施形態では、第２フレーム２の自重によって第２フレーム２が閉位置に付勢される構成を示した。しかし、本発明は、第２フレーム２を閉位置に位置させるために、第２フレーム２の自重とは異なる力が与えられていてもよい。例えば、図１８に示すように、画像読取装置１００がロック機構を有していてもよい。本変更形態において、ロック機構は、凸部２９と凹部１９とから構成される。図１８に示す状態において、凸部２９は、第２フレーム２から下方向に突出する。凹部１９は、第２フレーム２に対向して、第１フレームに凹み形成される。凸部２９が凹部１９に入ることにより、第２フレーム２が第１不レムに対して固定される。本変更形態において、第１軸受１６Ａ及び第２軸受１６Ｂは、凹部１９から軸部２４Ａ及び軸部２４Ｂまでの搬送方向における距離Ｄ４より、第１軸受１６Ａ及び第２軸受１６Ｂから軸部２４Ａ及び軸部２４Ｂまでの搬送方向における距離が短い位置に、形成されている。よって、第２フレームが閉位置にあるときに、排紙トレイの回動軸が第１フレームの第１軸受及び第２軸受から外れる可能性が抑制される。凹部１９の位置は、本発明における所定の位置に相当する。なお、ロック機構の構成はこれに限らず種々の変更が可能である。
【００８４】
また、上述の実施形態では、本発明を画像読取装置に適用した形態を説明した。しかし、本発明は、画像読取装置に限らず、他の装置に適用できる。例えば、搬送される読取媒体に印字を施すプリンタや、ＦＡＸ等の種々の搬送装置に、本発明を適用することができる。
【符号の説明】
【００８５】
１００    画像読取装置
１        第１フレーム
１１      搬送面
１２      側面部
１２Ａ    右側面部
１２Ｂ    左側面部
１２１Ａ、１２１Ｂ  外側部分
１２２Ａ、１２２Ｂ  内側部分
１４      前突出部
１５Ａ    貫通孔
１５Ｂ    貫通孔
１６Ａ    第１軸受
１６１Ａ  開口
１６Ｂ    第２軸受
１６１Ｂ  開口
２        第２フレーム
２１      搬送面
２２      本体部
２３Ａ    右突出部
２３Ｂ    左突出部
２４Ａ    軸部
２４Ｂ    軸部
２３１Ａ  延長部
２３１Ｂ  延長部
２５Ａ    閉塞部
２５Ｂ    閉塞部
３        排紙トレイ
３１      基部
３２      本体部
３３Ａ    回動軸
３３Ｂ    回動軸
３４      トレイ面
４        上流側搬送ローラ対
４１      搬送ローラ
４２      従動ローラ
５        読取デバイス
５１      第１読取デバイス
５２      第２読取デバイス
６        下流側搬送ローラ対
６１      搬送ローラ
６１１    搬送ローラ軸
６２      従動ローラ
７        操作パネル
８        挿入口
９        排出口
【図１】
2017178505.tif 000003
【図２】
2017178505.tif 000004
【図３】
2017178505.tif 000005
【図４】
2017178505.tif 000006
【図５】
2017178505.tif 000007
【図６】
2017178505.tif 000008
【図７】
2017178505.tif 000009
【図８】
2017178505.tif 000010
【図９】
2017178505.tif 000011
【図１０】
2017178505.tif 000012
【図１１】
2017178505.tif 000013
【図１２】
2017178505.tif 000014
【図１３】
2017178505.tif 000015
【図１４】
2017178505.tif 000016
【図１５】
2017178505.tif 000017
【図１６】
2017178505.tif 000018
【図１７】
2017178505.tif 000019
【図１８】
2017178505.tif 000020